(57)【要約】【課題】調光ユニットを構造物に容易に取り付けることができる調光ユニットの取り付け構造、パーティションを提供する。【解決手段】調光ユニット１０は、光学特性が第１の方向に沿って変化する複数の第１の調光領域ＡＲ１を、第１の方向に繰り返し備えた第１の調光板１１と、第１の調光板１１に対向するように配置され、第１の調光領域ＡＲ１に対応する複数の第２の調光領域ＡＲ２を、第１の方向に繰り返し備えた第２の調光板１２と、第１の調光板１１及び第２の調光板１２の相対位置を変化させて、第１の調光領域ＡＲ１と第２の調光領域ＡＲ２との重なり合いを変化させることにより、透過光量を可変とするために第１の調光板１１及び第２の調光板１２の少なくとも一方を移動可能とした状態で保持する筐体部（２２，２３）と、を備え、調光ユニット１０は、筐体部（２２，２３）の外周を枠体３１の内周に納めた状態で枠体３１に対して固定されている。【選択図】図１
2018204407.tif 000002
【特許請求の範囲】
【請求項１】
壁状体の開口部に対して調光ユニットを取り付ける調光ユニットの取り付け構造であって、
前記調光ユニットは、
光学特性が第１の方向に沿って変化する複数の第１の調光領域を、前記第１の方向に繰り返し備えた第１の調光板と、
前記第１の調光板に対向するように配置され、前記第１の調光領域に対応する複数の第２の調光領域を、前記第１の方向に繰り返し備えた第２の調光板と、
前記第１の調光板及び前記第２の調光板の相対位置を変化させて、前記第１の調光領域と前記第２の調光領域との重なり合いを変化させることにより、透過光量を可変とするために前記第１の調光板及び前記第２の調光板の少なくとも一方を移動可能とした状態で保持する筐体部と、
を備え、
前記調光ユニットは、前記筐体部の外周を前記開口部の内側に納めた状態で前記壁状体に対して固定されている調光ユニットの取り付け構造。
【請求項２】
請求項１に記載の調光ユニットの取り付け構造において、
前記壁状体の開口部の開口形状に沿って配置されている枠体を備え、
前記枠体には、前記開口部の側から凹んだ凹状溝が形成されており、
前記調光ユニットは、前記筐体部が前記凹状溝に嵌め込まれていることにより前記枠体に対して固定されていること、
を特徴とする調光ユニットの取り付け構造。
【請求項３】
請求項２に記載の調光ユニットの取り付け構造において、
前記調光ユニットは、前記筐体部から外周に向かって突出する突出部材を備え、
前記突出部材が前記凹状溝に嵌め込まれていることにより前記枠体に対して固定されていること、
を特徴とする調光ユニットの取り付け構造。
【請求項４】
請求項３に記載の調光ユニットの取り付け構造において、
前記突出部材は、その外形形状が異なる複数種類が前記枠体に対応させて交換可能であること、
を特徴とする調光ユニットの取り付け構造。
【請求項５】
請求項１に記載の調光ユニットの取り付け構造において、
前記壁状体の開口部の開口形状に沿って配置されている枠体を備え、
前記枠体は、その内周側に枠体側係合部を備え、
前記調光ユニットは、その外周側に前記枠体側係合部と係合する調光ユニット側係合部を備え、
前記調光ユニットは、前記調光ユニット側係合部が前記枠体側係合部と係合することにより前記枠体に対して固定されていること、
を特徴とする調光ユニットの取り付け構造。
【請求項６】
請求項５に記載の調光ユニットの取り付け構造において、
前記枠体は、前記調光ユニットの一部を覆い隠す遮蔽部を備えること、
を特徴とする調光ユニットの取り付け構造。
【請求項７】
請求項１に記載の調光ユニットの取り付け構造において、
前記壁状体の開口部の開口形状に沿って配置されている枠体を備え、
前記枠体は、当該枠体の一部であって前記調光ユニットの装着時に取り外し可能な着脱部を備えること、
を特徴とする調光ユニットの取り付け構造。
【請求項８】
請求項１に記載の調光ユニットの取り付け構造において、
前記調光ユニットを前記壁状体に固定するための連結部材を備えること、
を特徴とする調光ユニットの取り付け構造。
【請求項９】
請求項１に記載の調光ユニットの取り付け構造において、
前記筐体部は、前記壁状体の開口部の開口形状に沿って配置されていること、
を特徴とする調光ユニットの取り付け構造。
【請求項１０】
請求項１から請求項９までのいずれかに記載の調光ユニットの取り付け構造において、
前記第１の調光板は、前記第２の調光板に対向する側から順に配置された第１の位相差層及び第１の偏光層を備え、
前記第２の調光板は、前記第１の調光板に対向する側から順に配置された第２の位相差層及び第２の偏光層を備え、
前記第１の位相差層は、遅相軸方向が互いに異なる第１の位相差領域及び第２の位相差領域を前記第１の方向に沿って交互に含み、
前記第２の位相差層は、遅相軸方向が互いに異なる第３の位相差領域及び第４の位相差領域を前記第１の方向に沿って交互に含み、
前記第１の調光領域は、前記第１の位相差領域及び前記第２の位相差領域により構成され、
前記第２の調光領域は、前記第３の位相差領域及び前記第４の位相差領域により構成されること、
を特徴とする調光ユニットの取り付け構造。
【請求項１１】
請求項１から請求項９までのいずれかに記載の調光ユニットの取り付け構造において、
前記第１の調光板は、前記第２の調光板に対向する側から順に配置された第１の位相差層及び第１の偏光層を備え、
前記第２の調光板は、前記第１の調光板に対向する側から順に配置された第２の位相差層及び第２の偏光層を備え、
前記第１の位相差層は、前記第１の方向に沿って遅相軸方向が漸次変化する第１の位相差領域を前記第１の方向に繰り返し含み、
前記第２の位相差層は、前記第１の方向に沿って遅相軸方向が互いに異なる第２の位相差領域を前記第１の方向に繰り返し含み、
前記第１の調光領域は、前記第１の位相差領域により構成され、
前記第２の調光領域は、前記第２の位相差領域により構成されること、
を特徴とする調光ユニットの取り付け構造。
【請求項１２】
請求項１から請求項９までのいずれかに記載の調光ユニットの取り付け構造において、
前記第１の調光板は、第１の偏光層を備え、
前記第２の調光板は、第２の偏光層を備え、
前記第１の偏光層は、透過軸方向が互いに異なる第１の偏光領域及び第２の偏光領域を前記第１の方向に沿って交互に含み、
前記第２の偏光層は、透過軸方向が互いに異なる第３の偏光領域及び第４の偏光領域を前記第１の方向に沿って交互に含み、
前記第１の調光領域は、前記第１の偏光領域及び前記第２の偏光領域により構成され、
前記第２の調光領域は、前記第３の偏光領域及び前記第４の偏光領域により構成されること、
を特徴とする調光ユニットの取り付け構造。
【請求項１３】
請求項１から請求項１２までのいずれかに記載の調光ユニットの取り付け構造を備えるパーティション。
【発明の詳細な説明】
【技術分野】
【０００１】
本発明は、対向する一対の調光板により光の透過を制御する調光ユニットの取り付け構造、パーティションに関するものである。
【背景技術】
【０００２】
対向するように一対の調光板を保持し、この調光板をスライドさせて重なり合う部位を変化させることにより、透過光を制御して調光を図る調光装置が提案されている（特許文献１〜４）。このような調光装置では、面内遅相軸の方向及び位相差の少なくとも一方が互いに異なる領域が調光板に繰り返し設けられ、これにより一対の調光板の間でこの領域の重なり合いを変化させて光の透過率を制御する。
この種の調光装置では、対向する調光板をスライドさせて、２枚の調光板の重なり合いを変化させることにより、光の透過率を調整することができる。これにより、光を透過させて反対側の様子が観察可能な状態と、光の透過率を下げて反対側の様子が観察できない状態とを切換えることが可能となる。
【０００３】
このような調光装置を１つの調光ユニットとして作製して、例えば、既存のパーティション等の壁状体に取付け可能とすれば、利用可能な場所が増加し、様々な場所での利用が可能となる。
【先行技術文献】
【特許文献】
【０００４】
【特許文献１】特開２０１３−９２７０７号公報
【特許文献２】特開平９−３１０５６７号公報
【特許文献３】特表２０１４−５０７６７６号公報
【特許文献４】米国特許第８３１０７５７号明細書
【発明の概要】
【発明が解決しようとする課題】
【０００５】
本発明の課題は、調光ユニットを構造物に容易に取り付けることができる調光ユニットの取り付け構造、パーティションを提供することである。
【課題を解決するための手段】
【０００６】
本発明は、以下のような解決手段により、前記課題を解決する。なお、理解を容易にするために、本発明の実施形態に対応する符号を付して説明するが、これに限定されるものではない。
【０００７】
第１の発明は、壁状体（３０）の開口部（３０ａ）の開口形状に沿って配置されている枠体（３１）に対して調光ユニット（１０）を取り付ける調光ユニット（１０）の取り付け構造であって、前記調光ユニット（１０）は、光学特性が第１の方向に沿って変化する複数の第１の調光領域（ＡＲ１）を、前記第１の方向に繰り返し備えた第１の調光板（１１）と、前記第１の調光板（１１）に対向するように配置され、前記第１の調光領域（ＡＲ１）に対応する複数の第２の調光領域（ＡＲ２）を、前記第１の方向に繰り返し備えた第２の調光板（１２）と、前記第１の調光板（１１）及び前記第２の調光板（１２）の相対位置を変化させて、前記第１の調光領域（ＡＲ１）と前記第２の調光領域（ＡＲ２）との重なり合いを変化させることにより、透過光量を可変とするために前記第１の調光板（１１）及び前記第２の調光板（１２）の少なくとも一方を移動可能とした状態で保持する筐体部（２２，２３）と、を備え、前記調光ユニット（１０）は、前記筐体部（２２，２３）の外周を前記開口部（３０ａ）の内側に納めた状態で前記壁状体（３０）に対して固定されている調光ユニット（１０）の取り付け構造である。
【０００８】
第２の発明は、第１の発明に記載の調光ユニット（１０）の取り付け構造において、前記壁状体（３０）の開口部（３０ａ）の開口形状に沿って配置されている枠体（３１）を備え、前記枠体（３１）には、前記開口部（３０ａ）の側から凹んだ凹状溝（３１ａ）が形成されており、前記調光ユニット（１０）は、前記筐体部（２２，２３）が前記凹状溝（３１ａ）に嵌め込まれていることにより前記枠体（３１）に対して固定されていること、を特徴とする調光ユニット（１０）の取り付け構造である。
【０００９】
第３の発明は、第２の発明に記載の調光ユニット（１０）の取り付け構造において、前記調光ユニット（１０）は、前記筐体部（２２，２３）から外周に向かって突出する突出部材（４１，４２）を備え、前記突出部材（４１，４２）が前記凹状溝（３１ａ）に嵌め込まれていることにより前記枠体（３１）に対して固定されていること、を特徴とする調光ユニット（１０）の取り付け構造である。
【００１０】
第４の発明は、第３の発明に記載の調光ユニット（１０）の取り付け構造において、前記突出部材（４１，４２）は、その外形形状が異なる複数種類が前記枠体（３１）に対応させて交換可能であること、を特徴とする調光ユニット（１０）の取り付け構造である。
【００１１】
第５の発明は、第１の発明に記載の調光ユニット（１０−６，１０−７，１０−８）の取り付け構造において、前記壁状体（３０）の開口部（３０ａ）の開口形状に沿って配置されている枠体（３１−６，３１−７，３１−８，３１−９）を備え、前記枠体（３１）は、その内周側に枠体側係合部（３１−６ａ，３１−７ａ，３１−８ａ）を備え、前記調光ユニット（１０−６，１０−７，１０−８）は、その外周側に前記枠体側係合部（３１−６ａ，３１−７ａ，３１−８ａ）と係合する調光ユニット側係合部（１０−６ａ，１０−７ａ，１０−８ａ）を備え、前記調光ユニット（１０−６，１０−７，１０−８）は、前記調光ユニット側係合部（１０−６ａ，１０−７ａ，１０−８ａ）が前記枠体側係合部（３１−６ａ，３１−７ａ，３１−８ａ）と係合することにより前記枠体（３１−６，３１−７，３１−８，３１−９）に対して固定されていること、を特徴とする調光ユニット（１０−６，１０−７，１０−８）の取り付け構造である。
【００１２】
第６の発明は、第５の発明に記載の調光ユニット（１０−７）の取り付け構造において、前記枠体（３１−７）は、前記調光ユニット（１０−７）の一部を覆い隠す遮蔽部（３１−７ｂ）を備えること、を特徴とする調光ユニット（１０−７）の取り付け構造である。
【００１３】
第７の発明は、第１の発明に記載の調光ユニット（１０）の取り付け構造において、前記壁状体（３０）の開口部（３０ａ）の開口形状に沿って配置されている枠体（３１−９）を備え、前記枠体（３１−９）は、当該枠体（３１−９）の一部であって前記調光ユニット（１０）の装着時に取り外し可能な着脱部（９１−９ａ）を備えること、を特徴とする調光ユニット（１０）の取り付け構造である。
【００１４】
第８の発明は、第１の発明に記載の調光ユニット（１０）の取り付け構造において、前記調光ユニット（１０）を前記壁状体（３０）に固定するための連結部材（５０，６０）を備えること、を特徴とする調光ユニット（１０）の取り付け構造である。
【００１５】
第９の発明は、第１の発明に記載の調光ユニット（１０）の取り付け構造において、前記筐体部（２２，２３）は、前記壁状体（３０）の開口部（３０ａ）の開口形状に沿って配置されていること、を特徴とする調光ユニット（１０）の取り付け構造である。
【００１６】
第１０の発明は、第１の発明から第９の発明までのいずれかに記載の調光ユニット（１０）の取り付け構造において、前記第１の調光板（１１）は、前記第２の調光板（１２）に対向する側から順に配置された第１の位相差層（１５）及び第１の偏光層（１４）を備え、前記第２の調光板（１２）は、前記第１の調光板（１１）に対向する側から順に配置された第２の位相差層（１９）及び第２の偏光層（１８）を備え、前記第１の位相差層（１５）は、遅相軸方向が互いに異なる第１の位相差領域（Ａ１）及び第２の位相差領域（Ｂ１）を前記第１の方向に沿って交互に含み、前記第２の位相差層（１９）は、遅相軸方向が互いに異なる第３の位相差領域（Ａ２）及び第４の位相差領域（Ｂ２）を前記第１の方向に沿って交互に含み、前記第１の調光領域（ＡＲ１）は、前記第１の位相差領域（Ａ１）及び前記第２の位相差領域（Ｂ１）により構成され、前記第２の調光領域（ＡＲ２）は、前記第３の位相差領域（Ａ２）及び前記第４の位相差領域（Ｂ２）により構成されること、を特徴とする調光ユニット（１０）の取り付け構造である。
【００１７】
第１１の発明は、第１の発明から第９の発明までのいずれかに記載の調光ユニット（１０）の取り付け構造において、前記第１の調光板（１１）は、前記第２の調光板（１２）に対向する側から順に配置された第１の位相差層（１５）及び第１の偏光層（１４）を備え、前記第２の調光板（１２）は、前記第１の調光板（１１）に対向する側から順に配置された第２の位相差層（１９）及び第２の偏光層（１８）を備え、前記第１の位相差層（１５）は、前記第１の方向に沿って遅相軸方向が漸次変化する第１の位相差領域（Ａ１）を前記第１の方向に繰り返し含み、前記第２の位相差層（１９）は、前記第１の方向に沿って遅相軸方向が互いに異なる第２の位相差領域（Ｂ１）を前記第１の方向に繰り返し含み、前記第１の調光領域（ＡＲ１）は、前記第１の位相差領域（Ａ１）により構成され、前記第２の調光領域（ＡＲ２）は、前記第２の位相差領域（Ｂ１）により構成されること、を特徴とする調光ユニット（１０）の取り付け構造である。
【００１８】
第１２の発明は、第１の発明から第９の発明までのいずれかに記載の調光ユニット（１０）の取り付け構造において、前記第１の調光板（１１）は、第１の偏光層（１４）を備え、前記第２の調光板（１２）は、第２の偏光層（１８）を備え、前記第１の偏光層（１４）は、透過軸方向が互いに異なる第１の偏光領域（Ａ）及び第２の偏光領域（Ｂ）を前記第１の方向に沿って交互に含み、前記第２の偏光層（１８）は、透過軸方向が互いに異なる第３の偏光領域（Ｃ）及び第４の偏光領域（Ｄ）を前記第１の方向に沿って交互に含み、前記第１の調光領域（ＡＲ１）は、前記第１の偏光領域（Ａ）及び前記第２の偏光領域（Ｂ）により構成され、前記第２の調光領域（ＡＲ２）は、前記第３の偏光領域（Ｃ）及び前記第４の偏光領域（Ｄ）により構成されること、を特徴とする調光ユニット（１０）の取り付け構造である。
【００１９】
第１３の発明は、第１の発明から第１２の発明までのいずれかに記載の調光ユニット（１０）の取り付け構造を備えるパーティション（１００）である。
【発明の効果】
【００２０】
本発明によれば、調光ユニットを構造物に容易に取り付けることができる調光ユニットの取り付け構造、パーティションを提供することができる。
【図面の簡単な説明】
【００２１】
【図１】本発明による調光ユニット１０の取り付け構造を適用したパーティション１００を示す図である。
【図２】調光ユニット１０を示す図である。
【図３】調光ユニット１０の主要部の構成を分けて示した分解斜視図である。
【図４】一対の調光板１１、１２の構成を詳細に示す図である。
【図５】調光板を説明する図である。
【図６】調光板の他の例を示す図である。
【図７】調光ユニットの断面図である。
【図８】第１実施形態において調光ユニット１０が取り付けられている部分のパーティション１００の断面図である。
【図９】第２実施形態において調光ユニット１０が取り付けられている部分のパーティション１００の断面図である。
【図１０】第３実施形態の調光ユニット１０−３を示す図である。
【図１１】第３実施形態において調光ユニット１０−３が取り付けられている部分のパーティション１００の断面図である。
【図１２】第３実施形態において調光ユニット１０−３が取り付けられている部分のパーティション１００の断面図であり、図１１とは異なる取り付け形態を示す図である。
【図１３】第４実施形態の調光ユニット１０−４を示す図である。
【図１４】第５実施形態において調光ユニット１０−５が取り付けられている部分のパーティション１００の断面図である。
【図１５】第６実施形態において調光ユニット１０−６が取り付けられている部分のパーティション１００の断面図である。
【図１６】第７実施形態において調光ユニット１０−７が取り付けられている部分のパーティション１００の断面図である。
【図１７】第８実施形態において調光ユニット１０−８が取り付けられている部分のパーティション１００の断面図である。
【図１８】第９実施形態において調光ユニット１０が取り付けられている部分のパーティション１００の断面図である。
【図１９】第１０実施形態において調光ユニット１０が取り付けられている部分のパーティション１００の断面図である。
【図２０】第１０実施形態において枠体３１が設けられていない場合の調光ユニット１０が取り付けられている部分のパーティション１００の断面図である。
【図２１】第１１実施形態において調光ユニット１０が取り付けられている部分のパーティション１００の断面図である。
【図２２】調光板の変形形態を示す図である。
【発明を実施するための形態】
【００２２】
以下、本発明を実施するための最良の形態について図面等を参照して説明する。
【００２３】
（第１実施形態）
図１は、本発明による調光ユニット１０の取り付け構造を適用したパーティション１００を示す図である。
なお、図１を含め、以下に示す各図は、模式的に示した図であり、各部の大きさ、形状は、理解を容易にするために、適宜誇張して示している。
また、以下の説明では、具体的な数値、形状、材料等を示して説明を行うが、これらは、適宜変更することができる。
本明細書において、形状や幾何学的条件を特定する用語、例えば、平行や直交等の用語については、厳密に意味するところに加え、同様の光学的機能を奏し、平行や直交と見なせる程度の誤差を有する状態も含むものとする。
本明細書において、板、シート、フィルム等の言葉を使用しているが、これらは、一般的な使い方として、厚さの厚い順に、板、シート、フィルムの順で使用されており、本明細書中でもそれに倣って使用している。しかし、このような使い分けには、技術的な意味は無いので、これらの文言は、適宜置き換えることができるものとする。
【００２４】
本実施形態のパーティション１００は、壁状体３０と、枠体３１と、調光ユニット１０とを備えている。
図２は、調光ユニット１０を示す図である。
調光ユニット１０には、つまみ部１０ａが設けられており、このつまみ部１０ａを操作することにより、後述の透光状態と遮光状態との切換えを行う。
【００２５】
図３は、調光ユニット１０の主要部の構成を分けて示した分解斜視図である。なお、図３では、主な構成のみを簡略化して示しているので、例えば、つまみ部１０ａ等は、省略している。
この調光ユニット１０は、一対の調光板１１（第１の調光板）、１２（第２の調光板）を対向するように備え、この一対の調光板１１、１２の少なくとも一方をスライドの方向Ｓにスライドさせて調光板１１、１２間で重なり合う部位を変化させることにより、光の透過率を制御する。
【００２６】
〔調光ユニットの概要〕
図４は、一対の調光板１１、１２の構成を詳細に示す図である。
第１の調光板１１は、透明部材１３に、第１の偏光層１４、第１の位相差層１５を積層配置して形成される。透明部材１３は、例えば、平板状のガラス板、アクリル板等により構成される。
【００２７】
第１の偏光層１４は、直線偏光板として機能する光学機能層である。本実施形態では、例えば、ポリビニルアルコール（ＰＶＡ）を素材とするフィルム材に、ヨウ素化合物分子を吸着配向させて第１の偏光層１４が作製される。そして、この第１の偏光層１４を例えばＴＡＣ（Ｔｒｉａｃｅｔｙｌｃｅｌｌｕｌｏｓｅ）等を素材とする透明フィルムからなる基材により挟持してシート・ポラライザーとして機能する直線偏光板１４Ａが作製される。第１の偏光層１４は、この直線偏光板１４Ａを光硬化性樹脂等からなる接着剤層を用いて透明部材１３に貼合して配置される。なお、基材を省略して第１の偏光層１４のみを配置してもよい。またシート・ポラライザーとして機能する直線偏光板に代えてワイヤーグリッド型の直線偏光板、塗工型の直線偏光板等、種々の構成を適用することができる。
【００２８】
第１の位相差層１５は、第１の偏光層１４に積層して配置される。例えば、第１の位相差層１５を構成する位相差フィルム１５Ａを光硬化性樹脂等からなる接着剤層を用いて第１の偏光層１４に貼合する。なお、第１の位相差層１５は、第１の偏光層１４と透明部材１３との積層体に配置してもよく、第１の偏光層１４と積層した後、透明部材１３と積層してもよい。ここで位相差フィルム１５Ａは、ＴＡＣ等を素材とする透明フィルム材にパターンニングして形成された配向層を作製し、この配向層の配向規制力によって液晶材料を配向させた状態で硬化して第１の位相差層１５が作製される。ここで配向層は、ラビング処理を用いて作製してもよく、光配向層を適用してもよく、賦型処理を用いてライン状凹凸形状を作製して作製してもよい。なお位相差層１５を第１の偏光層１４に積層した後、基材を剥離して取り除くことにより、第１の位相差層１５のみを積層してもよい。
【００２９】
第２の調光板１２は、第１の調光板１１と同様に、透明部材１７に第２の偏光層１８、第２の位相差層１９を積層して形成される。第２の偏光層１８は、直線偏光板１８Ａによって構成されており、第２の位相差層１９は、位相差フィルム１９Ａによって構成されている。
図４に示すよう、第１の調光板１１から第２の調光板１２に入射する光の光路において、第１の偏光層１４、第１の位相差層１５、第２の位相差層１９、第２の偏光層１８の順に配置される。
【００３０】
第１の偏光層１４と第２の偏光層１８とは、例えば、互いにクロスニコルの関係となるように配置される。図４では、第１の偏光層１４及び第２の偏光層１８のそれぞれの透過軸が矢印により模式的に示されている。
【００３１】
図５は、調光板を説明する図である。図５（ａ）は、第１の位相差層の詳細を説明する図であり、図５（ｂ）は、第２の位相差層の詳細を説明する図である。
図５に示すように、第１の位相差層１５には、互いに遅相軸が異なる第１の位相差領域Ａ１及び第２の位相差領域Ｂ１が、スライド方向Ｓに沿って交互に形成されている。第１の位相差領域Ａ１及び第２の位相差領域Ｂ１は、スライド方向Ｓに直交する方向に帯状に延びるように形成されている。第１の調光板１１は、第１の位相差領域Ａ１及び第２の位相差領域Ｂ１を一単位とする、複数の第１の調光領域ＡＲ１を有する。したがって、第１の調光板１１は、スライド方向Ｓに沿って光学特性が変化する。
【００３２】
同様に、第２の位相差層１９には、互いに遅相軸が異なる第３の位相差領域Ａ２及び第４の位相差領域Ｂ２が、スライド方向Ｓに沿って交互に形成されている。第３の位相差領域Ａ２及び第４の位相差領域Ｂ２は、スライド方向Ｓに直交する方向に帯状に延びるように形成されている。第２の調光板１２は、第３の位相差領域Ａ２及び第４の位相差領域Ｂ２を一単位とする、複数の第２の調光領域ＡＲ２を有する。したがって、第２の調光板１２は、スライド方向Ｓに沿って光学特性が変化する。
【００３３】
第１の調光板１１、第２の調光板１２は、例えば、平面視（各調光板の表面に垂直な方向から見た状態）における形状が矩形形状に形成され、調光ユニット１０では、この矩形形状の１辺の延長方向がスライド方向Ｓに設定される。
【００３４】
第１の位相差領域Ａ１及び第２の位相差領域Ｂ１は、第１の偏光層１４の透過軸方向及び吸収軸方向に対して、第１の偏光層１４の側より見て、互いに遅相軸方向が異なる。例えば、遅相軸が、第１の偏光層１４の透過軸に対して時計方向及び反時計方向にそれぞれ４５度の角度をなす関係となるように設定される。同様に、第３の位相差領域Ａ２及び第４の位相差領域Ｂ２は、第２の偏光層１８の透過軸方向及び吸収軸方向に対して、第２の偏光層１８の側より見て、互いに遅相軸方向が異なる。例えば、遅相軸が、第２の偏光層１８の透過軸に対して時計方向及び反時計方向にそれぞれ４５度の角度をなす関係となるように設定される。なお図５においては、説明のため、各領域Ａ１、Ａ２、Ｂ１、Ｂ２における遅相軸方向を斜めの直線により示す。また第１の位相差層１５、第２の位相差層１９は、透過光に１／４波長の位相差を付与して１／４波長位相差層として機能する厚みになるように構成されている。なお第１の位相差層１５、第２の位相差層１９の厚みは、実用上充分な範囲で１／４波長とは異なる位相差を付与する厚みに構成してもよい。
【００３５】
例えば、第１の調光板１１側から光が入射する場合、第１の偏光層１４によって直線偏光となった光を、第１の位相差領域Ａ１及び第２の位相差領域Ｂ１で回転方向がそれぞれ逆向きの円偏光に変換して出射する。そして、第３の位相差領域Ａ２及び第４の位相差領域Ｂ２によって、位相差を付与して元の直線偏光、又は、これと９０度偏光方向の異なる直線偏光に変換して第２の偏光層１８に到達する。このようにして、調光ユニット１０を透過する光の透過率を制御することができる。なお、第２の調光板１２側から光が入射する場合も同様である。このように、調光ユニット１０では、第１の調光板１１及び第２の調光板１２の各領域Ａ１、Ａ２、Ｂ１、Ｂ２の重なり合いにより、元の直線偏光が第２の偏光層１８、第１の偏光層１４に入射する部位の面積と、元の直線偏光と９０度偏光方向の異なる直線偏光が第２の偏光層１８、第１の偏光層１４に入射する部位の面積とが変化することになる。
【００３６】
調光ユニット１０では、偏光した入射光に対する光学特性が、スライド方向Ｓに対応する第１の方向で変化する第１の調光領域ＡＲ１を、この第１の方向に繰り返し備えてなるように第１の調光板１１が形成される。またこの第１の調光板１１に対応して、第２の調光板１２においては、この第１の調光板１１に対向するように保持され、第１の調光領域ＡＲ１に対応する第２の調光領域ＡＲ２を、第１の方向に繰り返し備えるように形成される。
【００３７】
第１の調光板１１、第２の調光板１２の構成にあっては、光学特性が第１の方向に沿って変化する調光領域を、この第１の方向に繰り返し備えた種々の構成を適用することができる。
図６は、調光板の他の例を示す図である。図６（ａ）は、第１の調光板の他の例を示す図であり、図６（ｂ）は、第２の調光板の他の例を示す図である。
例えば、図６に示すように、面内で偏光の透過軸をパターンニングした第１の偏光層１４及び第２の偏光層１８により、第１の調光板１１、第２の調光板１２を作製してもよい。
例えば、図６の例では、第１の偏光層１４には、スライド方向Ｓに対応する方向に、透過軸方向が９０度異なる領域である第１の偏光領域Ａと第２の偏光領域Ｂとを順次交互に設けるようにして、この領域Ａ及びＢによって調光領域ＡＲ１を構成している。これと同様に、第２の偏光層１８には、スライド方向Ｓに対応する方向に、透過軸方向が９０度異なる領域である第３の偏光領域Ｃと第４の偏光領域Ｄとを順次交互に設けるようにして、この領域Ｃ及びＤによって第２の調光領域ＡＲ２を構成している。例えば、領域Ａ、Ｂ、Ｃ、Ｄの透過軸方向は、帯状領域の延長方向及び幅方向に設定される。
なお、この形態の場合、図４に示す第１の位相差層１５及び第２の位相差層１９は、省略される。そのため、各調光板１１、１２の層構成を、上述の図４に示す形態に比して簡易にすることができ、調光ユニット１０の製造コストを低減することができるとともに、各調光板の製造効率を向上させることができる。
【００３８】
帯状領域Ａ〜Ｄに代えて、矩形形状に形成された領域Ａ〜Ｄを市松状に配置して矩形形状の調光領域を形成する場合、菱形形状に形成された領域Ａ〜Ｄを順次交互に配置して平行四辺形形状の調光領域を形成する場合等、調光領域にあっては、種々の形状、配列を適用することができる。これらの場合、スライド方向Ｓが複数存在することがあり得る。
【００３９】
〔調光板の保持機構〕
図７は、調光ユニットの断面図である。
調光ユニット１０は（図３参照）、第１の調光板１１、第２の調光板１２をそれぞれ第１のフレーム２１、第２のフレーム２２により保持する。
図７に断面形状を示すように、第１のフレーム２１、第２のフレーム２２は、それぞれ第１の調光板１１、第２の調光板１２を囲む枠形状に形成され、さらに第１の調光板１１、第２の調光板１２の周辺部を保持する段差がこの枠形状に係る内側面に形成される。これにより第１のフレーム２１、第２のフレーム２２は、第１の調光板１１、第２の調光板１２をそれぞれ収容する凹部がこの段差によって形成され、第１の調光板１１、第２の調光板１２への入射光を遮ることの無いように、この段差による凹部に開口が形成される。第１のフレーム２１、第２のフレーム２２は、この凹部にそれぞれ第１の調光板１１、第２の調光板１２が配置されて接着剤やビス等を用いて固定される。
【００４０】
調光ユニット１０は、第２の調光板１２を配置した第２のフレーム２２と、カバーフレーム２３とにより、第１の調光板１１を配置した第１のフレーム２１を、スライド方向Ｓにスライド可能に挟持して構成される。ここでカバーフレーム２３は、第２のフレーム２２に対応する大きさの枠形状に形成され、第２のフレーム２２側の、枠形状に係る内側面に、第１のフレーム２１を収納する段差が設けられる。これにより調光ユニット１０は、この段差に係る凹部に、調光板１１を配置したフレーム２１をスライド可能に収納した後、調光板１２を配置したフレーム２２と積層して作製される。
【００４１】
なお、これらフレーム２１、２２、２３は、例えばＡＢＳ樹脂等の各種樹脂材料を射出成して作製したり、これらの樹脂材料、金属材料の切削加工、金属材料の押出しプレス加工等によって作製したりすることができ、また金属板材の曲げ加工等によって作製したりすることができる。第２のフレーム２２とカバーフレーム２３とにより、調光ユニット１０の筐体部が構成されている。
【００４２】
次に、調光ユニット１０をパーティション１００に対して取り付ける取り付け構造について説明する。
図８は、第１実施形態において調光ユニット１０が取り付けられている部分のパーティション１００の断面図である。
図８に示すように、壁状体３０の開口部３０ａを塞ぐ形で調光ユニット１０が取り付けられている。この開口部３０ａの内周面には、開口形状に沿って配置された枠体３１が壁状体３０に固定されている。
枠体３１には、開口部３０ａの内側から外側へ向かって凹んだ凹状溝３１ａが全周にわたって形成されている。
本実施形態では、調光ユニット１０は、凹状溝３１ａに略隙間なく嵌合して嵌め込まれている。
このような調光ユニット１０の取り付け構造であれば、例えば、開口部３０ａの大きさがより大きな場合には、外径寸法が異なる枠体３１を複数種類用意しておけば、調光ユニット１０を多数種類用意しなくともよい。調光ユニット１０は、枠体３１よりも構造が複雑であることから、枠体３１を複数種類用意して対応する方が、効率がよい。
【００４３】
第１実施形態では、枠体３１を調光ユニット１０に合せた形状のものとして、調光ユニット１０を取り付ける形態としたので、収まりがよく、施工性を良好にできる。また、枠体３１を変更することにより、サイズの異なる開口部３０ａに対応することができる。
【００４４】
（第２実施形態）
図９は、第２実施形態において調光ユニット１０が取り付けられている部分のパーティション１００の断面図である。
なお、以下に示す第２実施形態以降の説明では、前述した第１実施形態と同様の機能を果たす部分には、同一の符号を付して、重複する説明を適宜省略する。
第２実施形態のパーティション１００では、窓の施工によく用いられる押し縁３２を用いて調光ユニット１０を枠体３１に固定している。押し縁３２は、例えば、不図示のビスや接着材を用いて枠体３１に固定される。
【００４５】
第２実施形態では、押し縁３２を用いて調光ユニットを取り付ける形態としたので、枠体３１の形態によらずに施工性を良好にできる。
【００４６】
（第３実施形態）
図１０は、第３実施形態の調光ユニット１０−３を示す図である。
第３実施形態の調光ユニット１０−３は、突出部材４１が設けられている他は、第１実施形態の調光ユニット１０と同様である。
突出部材４１は、筐体部（第２のフレーム２２とカバーフレーム２３）から外周に向かって突出しており、本実施形態では、円柱形状に形成されている。突出部材４１は、不図示のねじ部が筐体部（第２のフレーム２２とカバーフレーム２３）にねじ込まれて取り付けられている。なお、ねじ部は、突出部材４１と一体となって構成されていてもよいし、突出部材４１をねじ部を備えた部材（例えば、ビス）で取り付ける構成となっていてもよい。
【００４７】
図１１は、第３実施形態において調光ユニット１０−３が取り付けられている部分のパーティション１００の断面図である。
図１１の例では、突出部材４１の幅が凹状溝３１ａに嵌まることにより、調光ユニット１０−３が固定されている。なお、この図１１の例では、突出部材４１の長さが凹状溝３１ａの深さに対して短めに設定されている。このようにすることによって、例えば、既存の凹状溝３１ａに対して調光ユニット１０−３を取り付けることが容易となる。
【００４８】
図１２は、第３実施形態において調光ユニット１０−３が取り付けられている部分のパーティション１００の断面図であり、図１１とは異なる取り付け形態を示す図である。
図１２に示す例では、突出部材４１の長さを図１１の例よりも長くして、凹状溝３１ａを略埋めることができるようにした形態である。このようにすれば、調光ユニット１０−３を開口部３０ａの上下幅の中央に配置することができ、見栄えをよりよくすることができる。
このように、第３実施形態では、突出部材４１を複数種類用意しておけば、開口部３０ａや凹状溝３１のサイズが異なる場合に対しても、突出部材４１を適宜変更するだけで適切に取り付けを行うことができる。
【００４９】
（第４実施形態）
図１３は、第４実施形態の調光ユニット１０−４を示す図である。
第４実施形態の調光ユニット１０−４は、突出部材４２の形態が第３実施形態の突出部材４１と異なる他は、第３実施形態の調光ユニット１０と同様である。
第４実施形態の突出部材４２は、その形状が凹状溝３１ａの延在方向に沿った方向に延在する直方体形状に形成されている。このような形態とすることにより、第３実施形態の突出部材４１が設けられていない部分における隙間を塞ぐことが可能となる。
【００５０】
（第５実施形態）
図１４は、第５実施形態において調光ユニット１０−５が取り付けられている部分のパーティション１００の断面図である。
第５実施形態のパーティション１００は、連結部材５０を備えている。この連結部材５０は、第３実施形態又は第４実施形態における突出部材４１又は突出部材４２と同様な部材であるが、調光ユニット１０−５の内部に挿入されている点で、突出部材４１と異なっている。
調光ユニット１０−５は、その外周に連結部材５０が挿入される凹部１０−５ａを備えている。
連結部材５０は、その一方側が凹部１０−５ａに挿入され、他方側が凹状溝３１−５ａに挿入されている。なお、連結部材５０は、図１０に示した突出部材４１と同様に部分的に設ける形態であってもよいし、図１３に示した突出部材４２と同様に凹状溝３１−５ａの延在方向に沿った方向に延在する直方体形状に形成されていてもよい。
なお、図１４の例では、凹状溝３１−５ａの幅が凹部１０−５ａの幅よりも狭い例を例示したが、これは逆になっていてもよいし、凹状溝３１−５ａの幅が凹部１０−５ａの幅と同じであってもよい。
第５実施形態のパーティション１００は、連結部材５０を用いて調光ユニット１０−５を枠体３１−５に固定する構成としたので、連結部材５０を交換するだけで、様々なパーティションに対して調光ユニット１０−５を取り付けることが可能である。また、その逆に、連結部材５０を交換するだけで、様々な調光ユニットをパーティション１００に対して取り付けることも可能となる。
【００５１】
（第６実施形態）
図１５は、第６実施形態において調光ユニット１０−６が取り付けられている部分のパーティション１００の断面図である。
枠体３１−６は、その内周側に枠体側係合部３１−６ａを備えている。本実施形態では、枠体側係合部３１−６ａは、内周側へ突出して構成されている。
調光ユニット１０−６は、その外周側に枠体側係合部３１−６ａと係合する調光ユニット側係合部１０−６ａを備えている。本実施形態では、調光ユニット側係合部１０−６ａは、外周形状から内側へ凹んで構成されている。
なお、枠体側係合部３１−６ａ及び調光ユニット側係合部１０−６ａは、調光ユニット１０−６の外周に沿った方向において部分的に設けられていてもよいし、全周にわたって延在していてもよい。
【００５２】
（第７実施形態）
図１６は、第７実施形態において調光ユニット１０−７が取り付けられている部分のパーティション１００の断面図である。
第７実施形態の調光ユニット１０−７は、第６実施形態の調光ユニット１０−６の調光ユニット側係合部１０−６ａと同様に調光ユニット側係合部１０−７ａを備えている。
また、第７実施形態の枠体３１−７は、第６実施形態の枠体３１−６の枠体側係合部３１−６ａと同様に枠体側係合部３１−７ａを備えている。
さらに、枠体３１−７は、調光ユニット１０−７の一部を覆い隠す遮蔽部３１−７ｂを備えている。この遮蔽部１３−７ｂは、調光ユニット１０−６の外周に沿った方向において全周にわたって延在している。遮蔽部１３−７ｂは、調光ユニット１０−７の筐体部（第２のフレーム２２及びカバーフレーム２３）を覆い隠す。よって、調光ユニット１０−７の筐体部を目立たせることなく、調光ユニット１０−７をパーティション１００に固定することができる。
【００５３】
（第８実施形態）
図１７は、第８実施形態において調光ユニット１０−８が取り付けられている部分のパーティション１００の断面図である。
第８実施形態の調光ユニット１０−８は、調光ユニット側係合部１０−８ａを備えている。調光ユニット側係合部１０−８ａは、パーティション１００の厚さ方向（図１７における左右方向）に凹んで形成されている。
また、第８実施形態の枠体３１−８は、枠体側係合部３１−８ａを備えている。枠体側係合部３１−８ａは、調光ユニット側係合部１０−８ａに係合可能なように、調光ユニット１０−８を両側から挟み込むような形態に構成されている。ここで、枠体３１−８は、樹脂を素材としており、枠体側係合部３１−８ａは、弾性変形して広がることにより、調光ユニット１０−８が挿入されて、調光ユニット側係合部１０−８ａと係合することができる。なお、調光ユニット１０−８の挿入を容易にするために、例えば、枠体側係合部３１−８ａの先端を斜面状に面取りしてもよいし、調光ユニット１０−８の端面に面取りを設けてもよい。
【００５４】
（第９実施形態）
図１８は、第９実施形態において調光ユニット１０が取り付けられている部分のパーティション１００の断面図である。
第９実施形態の枠体３１−９は、枠体３１−９の一部であって調光ユニット１０の装着時に取り外し可能な着脱部３１−９ａを備えている。この取り外し可能な着脱部３１−９ａは、調光ユニット１０を取り付けた後は、例えば接着固定されてもよいし、不図示のビス等を用いて固定されてもよい。
着脱部３１−９ａを備えることにより、調光ユニット１０をパーティション１００へ取り付けるときの施工性を非常に容易にすることができる。また、既存の壁面やパーティションに調光ユニット１０を取り付ける場合にも、施工が容易である。
【００５５】
（第１０実施形態）
図１９は、第１０実施形態において調光ユニット１０が取り付けられている部分のパーティション１００の断面図である。
第１０実施形態では、Ｌ字形状に構成された連結部材６０を用いて、調光ユニット１０を枠体３１に取り付けている。連結部材６０は、不図示のビス等を用いて調光ユニット１０に対して１つの板面が固定されており、他の板面が不図示のビス等を用いて壁状体３０の壁面に対して固定される。
図２０は、第１０実施形態において枠体３１が設けられていない場合の調光ユニット１０が取り付けられている部分のパーティション１００の断面図である。
図２０に示すように、連結部材６０は、枠体３１を介さずに直接、壁状体３０に対して調光ユニット１０を取り付けるために用いてもよい。
【００５６】
（第１１実施形態）
図２１は、第１１実施形態において調光ユニット１０が取り付けられている部分のパーティション１００の断面図である。
図２１に示すように、筐体部（２２，２３）は、壁状体（３０）の開口部（３０ａ）の開口形状に沿って配置されており、調光ユニット１０をパーティション１００に直接取り付ける構造となっている。この場合、調光ユニット１０の筐体部（２２，２３）が枠体３１を兼ねることとなる。
【００５７】
（変形形態）
以上説明した実施形態に限定されることなく、種々の変形や変更が可能であって、それらも本発明の範囲内である。
【００５８】
（１）各実施形態において、それぞれ位相差層又は偏光層を２段階でパターニングして調光領域ＡＲ１、ＡＲ２を作製する場合を例に挙げて説明した。これに限らず、例えば、調光板１１、１２における調光領域には、種々の構成を適用することができる。具体的には、２段階に代えて３段階以上で位相差層、偏光層をパターンニングして調光板１１、１２を作製するようにしてもよい。またこのような段階的な変化を、順次、循環的な変化としてもよく、光学特性の段階的な変化に代えて連続的な変化としてもよい。
図２２は、調光板の変形形態を示す図である。
具体的には、図２２は、複数段階によるパターニングにより、順次循環的に、また段階的に、遅相軸方向が変化するように位相差層１５、１９を作製した構成である。この構成においては、遅相軸方向が１８０度変化する範囲が、繰り返し設けられる調光に関する基本単位の領域となることにより、この１８０度変化する範囲が調光領域ＡＲ１、ＡＲ２となる。この場合、順次段階的に、また循環的に遅相軸方向が変化していることにより、調光領域は、この順次段階的な変化に係る特定遅相軸方向の領域から、この領域から遅相軸方向が１８０度変化した領域までの領域となる。なおこの場合、第１及び第２の調光板における第１及び第２の位相差層においては、この段階的な遅相軸を可変する領域数を異ならせるようにしてもよい。
【００５９】
（２）各実施形態において、配向層の配向規制力により液晶材料を硬化させて位相差層を作製する場合を例に挙げて説明した。これに限らず、例えば、位相差層に光配向性の液晶ポリマーを適用することにより、配向層を省略するようにしてもよい。
【００６０】
（３）各実施形態において、偏光層をクロスニコル配置とする場合を例に挙げて説明した。これに限らず、パラレルニコル配置としてもよい。
【００６１】
（４）各実施形態において、パーティションに本発明の調光ユニットの取り付け構造を適用する例を挙げて説明した。これに限らず、例えば、建物に固定されている既設の壁に調光ユニットを取り付ける場合に適用してもよい。
【００６２】
なお、各実施形態及び変形形態は、適宜組み合わせて用いることもできるが、詳細な説明は省略する。また、本発明は以上説明した各実施形態によって限定されることはない。
【符号の説明】
【００６３】
１０，１０−５，１０−６，１０−７，１０−８  調光ユニット
１０ａ  つまみ部
１０−５ａ  凹部
１０−６ａ，１０−７ａ，１０−８ａ  調光ユニット側係合部
１１    第１の調光板
１２    第２の調光板
１３    透明部材
１４    第１の偏光層
１４Ａ  直線偏光板
１５    第１の位相差層
１５Ａ  位相差フィルム
１７    透明部材
１８    第２の偏光層
１８Ａ  直線偏光板
１９    第２の位相差層
１９Ａ  位相差フィルム
２１    第１のフレーム
２２    第２のフレーム
２３    カバーフレーム
３０    壁状体
３０ａ  開口部
３１，３１−５，３１−６，３１−７，３１−８，３１−９  枠体
３１ａ，３１−５ａ  凹状溝
３１−６ａ，３１−７ａ，３１−８ａ  枠体側係合部 
３１−９ａ  着脱部
３１−７ｂ  遮蔽部
３２    押し縁
４１    突出部材
４２    突出部材
５０，６０  連結部材
１００  パーティション
【図１】
2018204407.tif 000003
【図２】
2018204407.tif 000004
【図３】
2018204407.tif 000005
【図４】
2018204407.tif 000006
【図５】
2018204407.tif 000007
【図６】
2018204407.tif 000008
【図７】
2018204407.tif 000009
【図８】
2018204407.tif 000010
【図９】
2018204407.tif 000011
【図１０】
2018204407.tif 000012
【図１１】
2018204407.tif 000013
【図１２】
2018204407.tif 000014
【図１３】
2018204407.tif 000015
【図１４】
2018204407.tif 000016
【図１５】
2018204407.tif 000017
【図１６】
2018204407.tif 000018
【図１７】
2018204407.tif 000019
【図１８】
2018204407.tif 000020
【図１９】
2018204407.tif 000021
【図２０】
2018204407.tif 000022
【図２１】
2018204407.tif 000023
【図２２】
2018204407.tif 000024